(57)【要約】【課題】ユーザーが自由に装飾したり、その他の付属物を施したりすることが可能な空気入りタイヤを提供する。【解決手段】サイドウォール部１４には、ピン孔３０が形成されている。ピン孔３０に装着される装着具４０は、ピン部材４２及び頭部４４を備えている。ピン部材４２の直径Ａ２は、ピン孔３０の径Ａ１よりも大径に設定されている。装着具４０を空気入りタイヤ１０に取り付ける場合には、ピン孔３０にピン部材４２を挿入する。【選択図】図２
2013035463.tif 000002
【特許請求の範囲】
【請求項１】
一対のタイヤサイドウォール部のうちの車両装着外側に配置される側に形成されたピン孔と、
前記ピン孔の少なくとも一部の壁面を該ピン孔が拡張する方向に変形させつつ該ピン孔に挿入されると共に、該ピン孔から抜き出し可能とされたピン部材と、前記ピン部材の挿入後端側に設けられた頭部と、を有する装着具と、
を備えた空気入りタイヤ。
【請求項２】
前記タイヤサイドウォール部に、突出したサイドリブを有し、
前記ピン孔は、前記サイドリブに形成されていること、を特徴とする請求項１に記載の空気入りタイヤ。
【請求項３】
前記サイドリブは平坦なフラット外面を有し、該フラット外面のタイヤ径方向最外端は、タイヤ最大幅位置よりもタイヤ径方向内側に配置されていること、を特徴とする請求項２に記載の空気入りタイヤ。
【請求項４】
前記ピン孔の深さは、前記ピン孔が形成された部分における前記サイドリブを含むサイドウォール部のタイヤ軸方向の厚みの８５％未満であること、を特徴とする請求項２または請求項３に記載の空気入りタイヤ。
【請求項５】
前記ピン孔の最大対角長さは前記フラット外面のタイヤ径方向長さの５０％以下であること、を特徴とする請求項１〜請求項４のいずれか１項に記載の空気入りタイヤ。
【請求項６】
前記ピン孔は、タイヤサイド側からみて円形状であること、を特徴とする請求項１〜請求項５のいずれか１項に記載の空気入りタイヤ。
【請求項７】
前記ピン孔は、タイヤサイド側からみて矩形状であること、を特徴とする請求項１〜請求項５のいずれか１項に記載の空気入りタイヤ。
【請求項８】
前記ピン孔は、タイヤサイド側からみて多角形状であること、を特徴とする請求項１〜請求項５のいずれか１項に記載の空気入りタイヤ。
【請求項９】
前記ピン孔は、タイヤサイド側からみて楕円形状であること、を特徴とする請求項１〜請求項５のいずれか１項に記載の空気入りタイヤ。
【請求項１０】
前記ピン孔は、タイヤサイド側からみて円形と矩形を結合させた鍵穴形状であること、を特徴とする請求項１〜請求項５のいずれか１項に記載の空気入りタイヤ。
【請求項１１】
前記ピン孔は、深さ方向に一定の断面を有する柱状部分を有していること、を特徴とする請求項１〜請求項１０のいずれか１項に記載の空気入りタイヤ。
【請求項１２】
前記ピン孔は、深さ方向に徐々に断面が小さくなる錐状部分を有していること、を特徴とする請求項１〜請求項１１のいずれか１項に記載の空気入りタイヤ。
【請求項１３】
前記ピン孔は、底部にピン孔が径方向に拡張された錘状部分を有していること、他の部分よりも断面が大きくなる錘状部分を有していること、を特徴とする請求項１〜請求項１２のいずれか１項に記載の空気入りタイヤ。
【請求項１４】
前記ピン孔は、深さ方向の中間部に壁面が凹となる係合凹部が形成され、前記ピン部材には、この係合凹部に対応する位置に、係合凸部が形成されていること、を特徴とする請求項１〜請求項１３のいずれか１項に記載の空気入りタイヤ。
【請求項１５】
前記ピン孔は、開口部が該開口部よりも奥側よりも大径とされていること、を特徴とする請求項１〜請求項１４のいずれか１項に記載の空気入りタイヤ。
【請求項１６】
隣り合う前記ピン孔の間隔は、前記ピン孔の最大対角長さの１．５倍以上であること、を特徴とする請求項１〜請求項１５のいずれか１項に記載の空気入りタイヤ。
【請求項１７】
前記ピン孔の深さ方向のタイヤ赤道面に対しての傾きは、６０°〜１２０°であること、を特徴とする請求項１〜請求項１６のいずれか１項に記載の空気入りタイヤ。
【発明の詳細な説明】
【技術分野】
【０００１】
本発明は、空気入りタイヤに関する。
【背景技術】
【０００２】
従来から、タイヤのサイド部に装飾を施すため、リッジをデザイン配置したり、文字を配列したり、カラーリングしたりするなどの工夫がなされてきた（例えば、特許文献１参照）。
【０００３】
しかしながら、上記した従来例では、装飾は予め施されており、ユーザーが自由に装飾を変更できるものではなかった。
【先行技術文献】
【特許文献】
【０００４】
【特許文献１】特開２００８−２７３５０５号公報
【発明の概要】
【発明が解決しようとする課題】
【０００５】
本発明は、上記事実を考慮してなされたものであり、ユーザーが自由に装飾したり、その他の付属物を施したりすることが可能な空気入りタイヤを提供することを目的とする。
【課題を解決するための手段】
【０００６】
請求項１の発明に係る空気入りタイヤは、一対のタイヤサイドウォール部のうちの車両装着外側に配置される側に形成されたピン孔と、前記ピン孔の少なくとも一部の壁面を該ピン孔が拡張する方向に変形させつつ該ピン孔に挿入されると共に、該ピン孔から抜き出し可能とされたピン部材と、前記ピン部材の挿入後端側に設けられた頭部と、を有する装着具と、を備えている。
【０００７】
本発明に係る空気入りタイヤでは、ピン部材をピン孔に挿入することにより、ピン孔が拡張するように弾性変形する。これにより、ピン部材が、ピン孔の壁面の少なくとも一部における復元力によって保持されて、ピン部材の挿入後端側に設けられた頭部を含む装着具が装着される。また、ピン部材をピン孔から抜き出すことにより、装着具を取り外すことができる。これにより、ユーザーが好みの装着具を自由に装着することができる。
【０００８】
ここでの装着具は、装飾品、温度センサーなどの計測機器を含むものである。
【０００９】
請求項２の発明に係る空気入りタイヤは、前記タイヤサイドウォール部に突出したサイドリブを有し、前記ピン孔は、前記サイドリブに形成されていること、を特徴とする。
【００１０】
このように、サイドリブにピン孔を形成することにより、ピン孔の深さが確保しやすくなる。
【００１１】
請求項３の発明に係る空気入りタイヤは、前記サイドリブは平坦なフラット外面を有し、該フラット外面のタイヤ径方向最外端は、タイヤ最大幅位置よりもタイヤ径方向内側に配置されていること、を特徴とする。
【００１２】
上記の位置にサイドリブのフラット外面を形成することにより、走行条件によってタイヤサイドウォール部が接地する状況となっても、フラット外面の接地を回避することができる。したがって、このフラット外面に挿入されるピン部材、装着される頭部の損傷、脱落、フラット外面に形成されたピン孔部の損傷も回避することができる。
【００１３】
請求項４の発明に係る空気入りタイヤは、前記ピン孔の深さは、前記ピン孔が形成された部分における前記サイドリブを含むサイドウォール部のタイヤ軸方向の厚みの８５％未満であること、を特徴とする。
【００１４】
このように、ピン孔の深さを設定することにより、ピン孔によるタイヤ骨格部材への干渉を抑制することができる。
【００１５】
請求項５の発明に係る空気入りタイヤは、前記ピン孔の最大対角長さは前記フラット外面のタイヤ径方向長さの５０％以下であること、を特徴とする。
【００１６】
このように、ピン孔の最大対角長さを設定することにより、ピン孔からの亀裂進展を抑制することができる。
【００１７】
なお、空気入りタイヤの前記ピン孔は、請求項６〜１０に記載のように、タイヤサイド側からみて円形状、矩形状、多角形状、楕円形状、円形と矩形を結合させた鍵穴形状、とすることができる。
【００１８】
このように、ピン孔を種々の形状に形成することができる。
【００１９】
請求項１１に係る発明の空気入りタイヤは、前記ピン孔が、深さ方向に一定の断面を有する柱状部分を有していること、を特徴とする。
【００２０】
このように、柱状部分を有することにより、ピン孔を容易に形成することができる。
【００２１】
請求項１２に係る発明の空気入りタイヤは、前記ピン孔が、深さ方向に徐々に断面が小さくなる錐状部分を有していること、を特徴とする。
【００２２】
このように、錐状部分を有することにより、ピン部材の挿入及び抜き出しがし易くなる。
【００２３】
請求項１３に係る発明の空気入りタイヤは、前記ピン孔は、底部にピン孔が径方向に拡張された錘状部分を有していること、を特徴とする。
【００２４】
このように、錘状部分を有していることにより、ピン部材の抜け出しを抑制することができる。
【００２５】
請求項１４に係る発明の空気入りタイヤは、前記ピン孔には、深さ方向の中間部に壁面が凹となる係合凹部が形成され、前記ピン部材には、この係合凹部に対応する位置に、係合凸部が形成されていること、を特徴とする。
【００２６】
上記構成では、係合凹部に係合凸部が係合することにより、ピン部材の抜け出しを抑制することができる。
【００２７】
請求項１５に係る発明の空気入りタイヤは、前記ピン孔は、開口部が該開口部よりも奥側よりも大径とされていること、を特徴とする。
【００２８】
このように開口部を大径とすることにより、ピン孔へピン部材を挿入しやすくすることができる。
【００２９】
請求項１６に係る発明の空気入りタイヤは、隣り合う前記ピン孔の間隔は、前記ピン孔の最大対角長さの１．５倍以上であること、を特徴とする。
【００３０】
このようにピン孔の間隔を設定することにより、ピン孔を起点とするタイヤサイドウォール部の亀裂の進展を抑制することができる。
【００３１】
請求項１７に係る発明の空気入りタイヤは、前記ピン孔の深さ方向のタイヤ赤道面に対しての傾きは、６０°〜１２０°であること、を特徴とする。
【００３２】
この範囲内に、ピン孔の深さ方向のタイヤ赤道面に対しての傾きを設定することにより、タイヤ高速走行使用時における回転に伴う遠心力が作用しても、ピン部材の脱落を抑制することができる。
【発明の効果】
【００３３】
本発明に係る請求項１に記載の空気入りタイヤによれば、ピン部材の挿入、抜き出しにより、ユーザーが好みの装着具を自由に装着することができる。
【００３４】
請求項２に記載の空気入りタイヤによれば、サイドリブにピン孔が形成されているので、ピン孔の深さを容易に確保することができる。
【００３５】
請求項３に記載の空気入りタイヤによれば、フラット外面に挿入されるピン部材、装着される装着具の損傷、脱落、フラット外面に形成されたピン孔部の損傷を回避することができる。
【００３６】
請求項４に記載の空気入りタイヤによれば、ピン孔によるタイヤ骨格部材への干渉を抑制することができる。
【００３７】
請求項５に記載の空気入りタイヤによれば、ピン孔からの亀裂進展を抑制することができる。
【００３８】
請求項６〜１０に記載の空気入りタイヤのように、ピン孔を種々の形状に形成することができる。
【００３９】
請求項１１に記載の空気入りタイヤによれば、ピン孔を容易に形成することができる。
【００４０】
請求項１２に記載の空気入りタイヤによれば、ピン部材の挿入及び抜き出しを容易に行うことができる。
【００４１】
請求項１３に記載の空気入りタイヤによれば、ピン部材の抜け出しを抑制することができる。
【００４２】
請求項１４に記載の空気入りタイヤによれば、ピン部材の抜け出しを抑制することができる。
【００４３】
請求項１５に記載の空気入りタイヤによれば、ピン孔へピン部材を挿入しやすくすることができる。
【００４４】
請求項１６に記載の空気入りタイヤによれば、ピン孔を起点とするタイヤサイドウォール部の亀裂の進展を抑制することができる。
【００４５】
請求項１７に記載の空気入りタイヤによれば、ピン部材の脱落を抑制することができる。
【図面の簡単な説明】
【００４６】
【図１】本実施形態に係る空気入りタイヤの、タイヤ径方向の断面図である。
【図２】本実施形態に係る空気入りタイヤの、ピン孔及び装飾具を示す図である。
【図３】本実施形態に係る空気入りタイヤの装着具を未装着状態の側面図である。
【図４】本実施形態に係る空気入りタイヤの装飾具を示す斜視図である。
【図５】本実施形態に係る空気入りタイヤの装着具を装着した状態の側面図である。
【図６】本実施形態に係る空気入りタイヤの、ピン孔の変形例及び装飾具を示す図である。
【図７】本実施形態の変形例に係る空気入りタイヤの、ピン孔の変形例（Ａ）〜（Ｅ）を示す平面図である。
【図８】本実施形態の変形例に係る空気入りタイヤの、ピン孔の他の変形例（Ａ）〜（Ｃ）を示す側断面図である。
【図９】本実施形態の変形例に係る空気入りタイヤの、ピン孔及び装着具の変形例（Ａ）〜（Ｂ）を示す側断面図である。
【発明を実施するための形態】
【００４７】
以下、本発明を実施するための形態を図面に基づき説明する。本実施形態において規定する空気入りタイヤの各部の位置等は、ＪＡＴＭＡ ＹＥＡＲ ＢＯＯＫ（２０１１年度版、日本自動車タイヤ協会規格）に規定されている標準リムに装着し、ＪＡＴＭＡ  ＹＥＡＲ  ＢＯＯＫでの適用サイズ・プライレーティングにおける最大負荷能力（内圧−負荷能力対応表の太字荷重）に対応する空気圧（最大空気圧）の１００％の内圧を充填し、最大負荷能力を負荷したときのものである。なお、使用地又は製造地において、ＴＲＡ規格、ＥＴＲＴＯ規格が適用される場合は各々の規格に従う。
【００４８】
図１には、本実施形態に係る空気入りタイヤ１０のタイヤ径方向断面図（タイヤ赤道面ＣＬを挟んだ片側のみ）が示されている。本実施形態に係る空気入りタイヤ１０は、一対のビード部１２と、一対のサイドウォール部１４と、トレッド部１６とを有している。
【００４９】
ビード部１２には、少なくとも１本の環状のビードコア１８が埋設されている。一対のビードコア１８間には、カーカス２０がトロイダル状に跨るように設けられている。このカーカス２０は、ビードコア１８に対して内側から外側に巻き返されている。カーカス２０のタイヤ径方向外側には、ベルト層２２が設けられている。
【００５０】
一対のサイドウォール部１４は、ビード部１２からタイヤ径方向外側に夫々延設されている。各々のサイドウォール部１４には、外表面から突出したリムガード２４（サイドリブ）が形成されている。リムガード２４は、タイヤ全周に亘って連続形成されている。リムガード２４のタイヤ軸方向ＡＸの外側には、フラット外面２４Ａが形成されている。フラット外面２４Ａは、タイヤ赤道面ＣＬに沿った平坦面とされている。
【００５１】
空気入りタイヤ１０のタイヤ最大幅位置をＷｍａｘとすると、フラット外面２４Ａは、サイドウォール部１４のタイヤ最大幅位置Ｗｍａｘよりもビード部１２側に形成されている。なお、フラット外面２４Ａは、必ずしもタイヤ最大幅位置Ｗｍａｘよりもビード部１２側に形成されている必要はないが、このように形成されていることにより、走行条件によってサイドウォール部１４が接地する状況となっても、フラット外面２４Ａの接地を回避することができる。その結果、このフラット外面２４Ａに形成される後述のピン孔３０の損傷も回避することができる。さらに、ピン孔３０に挿入される後述のピン部材４２、頭部４４の損傷、脱落も回避することができる。
【００５２】
リムガード２４のフラット外面２４Ａには、図２にも示すように、ピン孔３０が形成されている。ピン孔３０は、タイヤ軸方向ＡＸに沿って延在する円柱形状とされている。なお、ピン孔３０の延在方向は、タイヤ軸方向ＡＸに沿っている必要はないが、タイヤ赤道面ＣＬに対して６０°〜１２０°の範囲内の傾き角度θ（図１参照）とすることが好ましい。この範囲内に傾き角度θを設定することにより、タイヤ高速走行使用時における回転に伴う遠心力が作用しても、ピン部材の脱落を抑制することができる。
【００５３】
ピン孔３０は、図３にも示すように、リムガード２４のタイヤ周方向に沿って複数形成されている。隣り合うピン孔３０同士の間隔Ｂは、ピン孔３０の直径Ａ１の１．５倍以上であることが好ましい。このように間隔Ｂを設定することにより、ピン孔３０を起点とするサイドウォール部１４の亀裂の進展を抑制することができる。
【００５４】
ピン孔３０の深さＤ１は、ピン孔３０の中心軸Ｐに対応する位置におけるリムガード２４を含んだサイドウォール部１４のタイヤ軸方向ＡＸの厚みＲＧＨの８５％未満であることが好ましい。このように、ピン孔３０の深さＤを設定することにより、ピン孔３０によるサイドウォール部１４を含むタイヤ骨格部材への影響を抑制することができる。
【００５５】
また、ピン孔３０の直径Ａ１（最大対角長さ）は、フラット外面２４Ａのタイヤ径方向長さＴの５０％以下であることが好ましい。このように、ピン孔３０の直径Ａ１を設定することにより、ピン孔３０からサイドウォール部１４への亀裂進展を抑制することができる。
【００５６】
図４（Ａ）及び図４（Ｂ）には、ピン孔３０に装着される装着具４０が示されている。装着具４０は、ピン部材４２及び頭部４４を備えている。ピン部材４２は、円柱形状とされている。ピン部材４２の直径Ａ２は、ピン孔３０の直径Ａ１よりも大径に設定されている。
【００５７】
ピン部材４２の一端部には頭部４４が設けられている。頭部４４はピン部材４２よりも大径の円板状とされ、円板の中央部にピン部材４２が配置されている。頭部４４の外側面に装飾が施されている。なお、ピン部材４２と頭部４４とは、別体とされて連結されていてもよいし、一体的に形成されていてもよい。ピン部材４２は、先端側（頭部４４が設けられていない端部）からピン孔３０に挿入され、頭部４４側は挿入後端側となっている。
【００５８】
装着具４０を空気入りタイヤ１０に取り付ける場合には、ピン孔３０にピン部材４２を挿入する。このとき、ピン部材４２の直径Ａ２はピン孔３０の直径Ａ２よりも大径であるため、ピン孔３０を形成する内壁は、ピン部材４２に押されてピン孔３０が拡張するように弾性変形する。したがって、ピン孔３０に挿入されたピン部材４２は、ピン孔３０の内壁の復元力によって保持され、装着具４０が装着される。図５には、図３に示されるピン孔３０に装着具４０が装着された状態のタイヤ側面が示されている。頭部４４は、ピン孔３０の外側に配置される。
【００５９】
装着具４０を空気入りタイヤ１０から取り外す場合には、頭部４４を持って引っ張り、ピン部材４２をピン孔３０から抜き出せばよい。
【００６０】
本実施形態の空気入りタイヤ１０によれば、装着具４０をピン孔３０へ挿入したり、ピン孔３０から抜き出したりすることができるので、ユーザーが好みの装着具４０を自由に装着することができる。
【００６１】
なお、本実施形態では、装着具４０として、頭部４４に装飾の施された装飾品を例に説明したが、装着具としては装飾品に限定されるものではなく、温度センサー、走行履歴計測などの計測機器や、その他の部材であってもよい。また、頭部４４の形状は円板状である必要はなく、四角形板状、三角形板状、その他の自由な形状とすることができる。
【００６２】
また、本実施形態のピン孔３０は、開口部と中間部の径が同じ形状のものを例に説明したが、図６に示すように、開口側が奥側よりも大径となるようなテーパー部３１を形成してもよい。このように開口にテーパー部３１を形成することにより、ピン孔３０へピン部材４２を容易に挿入することができる。
【００６３】
また、本実施形態では、ピン孔３０のタイヤサイド側からみた形状を円形状としたが、この形状に限定されるものではなく、図７（Ａ）〜（Ｅ）に示されるような他の形状としてもよく、その他に連続した直線と曲線で囲まれた形状とすることができる。
【００６４】
例えば、図７（Ａ）には、十字形状のピン孔３０Ａが示されている。この場合には、最大対角長さは、矢印Ａ１−Ａで示す位置となる。また、図７（Ｂ）には、四角形状（矩形状）のピン孔３０Ｂが示されている。ピン孔３０Ｂの一対の対角は面取りされており、他の一対の対角を結ぶ直線が最大対角長さＡ１−Ｂとなる。
【００６５】
また、図７（Ｃ）には、楕円形状のピン孔３０ＣＢが示されている。楕円の長径がピン孔３０Ｃの最大対角長さＡ１−Ｃとなる。また、図７（Ｄ）には、星形状のピン孔３０Ｄが示されている。星型の最も離れた位置にある先端同士を結ぶ直線が最大対角長さＡ１−Ｄとなる。また、図７（Ｅ）には、円形と台形を連結させた鍵穴形状のピン孔３０Ｅが示されている。台形の一方の角部とここから最も離れた位置にある円周とを結ぶ直線が最大対角長さＡ１−Ｅとなる。
【００６６】
また、本実施形態では、ピン孔３０が深さ方向に一定の断面を有する柱状である例について説明したが、この形状に限定されるものではなく、図８（Ａ）に示されるように、奥側が小径となるような円錐形状のピン孔３３Ａとしてもよい。また、その他に連続した直線と曲線で囲まれた形状とすることができる。
【００６７】
また、図８（Ｂ）、図８（Ｃ）に示されるように、底部にピン孔を拡張した錘部を形成してもよい。図８（Ｂ）では、円錐形状のピン孔３３Ｂの底部に錘部３５Ｂを形成し、図８（Ｃ）では、円柱形状のピン孔３３Ｃの底部に錘部３５Ｃを形成している。
【００６８】
また、図９（Ａ）に示されるように、ピン孔３５Ａの深さ方向の中間部に壁面が凹となる係合凹部３７Ａが形成されていてもよい。この場合のピン部材４０Ａには、係合凹部３７Ａに係合可能な係合凸部４６Ａを形成する。このように、係合凹部３７Ａへ係合凸部４６Ａを係合させることにより、装着具４０Ａの抜けを抑制することができる。
【００６９】
また、図９（Ｂ）に示されるように、係合凹部３７Ｂを、ピン孔３５Ｂの全周に亘って形成される環状としてもよい。この場合のピン部材４０Ｂには、係合凹部３７Ｂに係合可能な環状の係合凸部４６Ａを形成する。このように、係合凹部３７Ｂへ係合凸部４６Ｂを係合させることにより、装着具４０Ｂの抜けを抑制することができる。
【００７０】
上記のピン孔についての各形状は、複数の形状を組み合わせることができる。例えば、タイヤサイド側からみた形状を四角形状にすると共に深さ方向に細くなる四角錐状とし、中間部に係合凹部を形成することができる。
【００７１】
なお、本実施形態では、リムガード２４のフラット外面２４Ａにピン孔３０を形成した例について説明したが、ピン孔３０はサイドウォール部１４の他の部分に形成されていてもよい。本実施形態のように、リムガード２４に形成することにより、ピン孔３０の深さを容易に確保することができる。
【００７２】
また、ピン孔３０は、サイドウォール部１４に形成された、リムガード２４と異なる凸部、リブ等に形成してもよい。
【００７３】
また、本実施形態では、空気入りタイヤ１０の一対のサイドウォール部１４の両側にピン孔３０が形成され、このピン孔３０に装着具４０が装着される例について説明したが、必ずしも両側である必要はなく、少なくとも車両装着外側に形成されていればよい。
【００７４】
［実施例］
【００７５】
タイヤサイズ  １９５／６５Ｒ１５  ９１Ｖ  のタイヤについて、ピン孔及びリムガードのサイズを変えた実施例１〜７を用いて、各種の試験を行った。ピン孔に装着される装着具は、すべての実施例において同一で図４に示す装着具であり、直径Ａ２は３．３ｍｍ、ピン部材の長さＤ２は９．５ｍｍとした。ピン孔及びリムガードのサイズについては、表１に示す通りである。
【００７６】
【表１】
2013035463.tif 000003
【００７７】
試験として、劣化亀裂進展耐久ドラム試験、高速耐久ドラム試験、及び、高負荷荷重時のホイールへのピン孔接触計測を行った。
【００７８】
劣化亀裂進展耐久ドラム試験では、実施例１〜７のタイヤを正規リム  ６Ｊ１５に組み付け、バルブコアを取り付けて、純度９９％以上の酸素を充填圧が３５０ｋＰａになるように充填し、その後恒温庫内に６０℃で、７日間放置して事前酸素劣化させた。その後、タイヤ内の充填圧を２３０ＫＰａまで充填し、ＪＡＴＭＡ準拠規格の最大荷重の８５％の荷重負荷率にて試験速度９０km/hで走行距離２００００ｋｍまで走行させた。試験走行後に、隣り合うピン孔への周方向亀裂の進展の有無、及び、タイヤ骨格材への亀裂到達の有無を確認した。各々の結果は、表２に示す通りである。
【００７９】
高速耐久ドラム試験では、実施例１〜７のタイヤを正規リム  ６Ｊ１５に組み付け、正規内圧２３０ｋＰａで内圧充填し、ＪＡＴＭＡ準拠規格の最大荷重の８８％の荷重負荷率にて速度８０ｋｍ／ｈから最大速度２４０ｋｍ／ｈまで３０分毎に１０ｋｍ／ｈの速度を上昇させ、装着具がピン孔から抜け出てタイヤから脱落した時の速度を計測した。各々の結果は表２に示す通りである。
【００８０】
高負荷荷重時のホイールへのピン孔接触計測では、実施例１〜７のタイヤを正規リム  ６Ｊ１５に組み付け、タイヤ負荷形状測定試験機にてＬＩ（ロードインデックス）の３００％負荷率時のホイールへのピン孔接触の有無を計測した。各々の結果は表２に示す通りである。
【００８１】
【表２】
2013035463.tif 000004
【符号の説明】
【００８２】
１０   空気入りタイヤ
１４   サイドウォール部
２４Ａ フラット外面
２４   リムガード（サイドリブ）
３０   ピン孔
３５Ｂ 錘部
３５Ｃ 錘部
３７Ａ 係合凹部
３７Ｂ 係合凹部
４０Ａ ピン部材
４０Ｂ ピン部材
４０   装着具
４２   ピン部材
４４   頭部
Ａ１   直径
Ａ２   直径
ＡＸ   タイヤ軸方向
Ｂ     間隔
ＣＬ   タイヤ赤道面
Ｐ     中心軸
Ｗｍａｘ  タイヤ最大幅位置
θ    角度
【図１】
2013035463.tif 000005
【図２】
2013035463.tif 000006
【図３】
2013035463.tif 000007
【図４】
2013035463.tif 000008
【図５】
2013035463.tif 000009
【図６】
2013035463.tif 000010
【図７】
2013035463.tif 000011
【図８】
2013035463.tif 000012
【図９】
2013035463.tif 000013